(57)【要約】【課題】利用者がトイレの貸し出し状況を簡易に検索できる位置情報検索システムを提供する。【解決手段】ユーザ１がユーザ端末を使用し、トイレ位置情報システム２にアクセスする。トイレ位置情報システム２は位置情報検索システム３にユーザ１の位置情報の要求をする。位置情報検索システム３は自身の位置検索機能を用いてユーザ１の位置情報を算出し、前記位置情報をトイレ位置情報システム２に通知する。トイレ位置情報システム２は前記位置情報を基に、契約店５のうち最寄りの店を検索し、自身の地図にその検索結果を記載し、前記検索結果をユーザ１のユーザ端末に送信し、ユーザ端末のＷｅｂブラウザの地図上に契約店５の場所を表示させる。ユーザ１のトイレ探しは容易になり、契約店５は、トイレ貸し出し情報の提供に当たり、業種および規模が問われない。【選択図】        図１
2004326414.tif 000002
【特許請求の範囲】
【請求項１】
情報授受側が有しており、位置に関する所定の位置情報を受信する第１の端末と、情報提供側が有しており、位置に関する所定の位置情報および情報提供側が持つサービスに関する所定のサービス情報を送信する第２の端末と、前記第２の端末より所定の位置情報、サービス情報を受信し、記憶し、該位置情報、該サービス情報を前記第１の端末へ送信する位置情報提供手段と、前記位置情報提供手段と連動しており、前記位置情報提供手段の要求に応じて情報授受側の位置情報を検索する位置情報検索手段とは、互いにネットワークを介して接続されていることを特徴とする位置情報検索システムであって、
前記第１の端末は、位置情報、サービス情報取得の際に要求する要求情報の送信、および前記位置情報、前記サービス情報の受信を、前記位置情報提供手段と行うための送受信手段と、前記位置情報、前記サービス情報を表示する表示手段とを有することを特徴とし、
前記第２の端末は、情報提供側に関する位置情報、サービス情報を送信、および前記位置情報、前記サービス情報の登録に関する情報の受信を、前記位置情報提供手段と行うための送受信手段を有することを特徴とし、
前記位置情報検索手段は、情報授受側の位置情報の第１の検索結果の送信、および前記位置情報の検索要求に対応する検索要求情報の受信を、前記位置情報提供手段と行うための送受信手段と、前記検索要求情報の受信に応じ情報授受側の位置情報の検索を実行する第１の位置検索手段とを有することを特徴とし、
前記位置情報提供手段は、前記第１の端末との前記要求情報の受信、前記位置情報、前記サービス情報の送信、および前記第２の端末との情報提供側に関する位置情報、サービス情報を受信、前記位置情報、前記サービス情報の登録に関する情報の送信、および前記位置情報検索手段との情報授受側の位置情報の前記第１の検索結果の受信、前記位置情報の検索要求に対応する前記検索要求情報の送信を行う送受信手段と、前記第２の端末より受信する情報提供側に関する位置情報、サービス情報を記憶する記憶手段と、前記位置情報検索手段による前記第１の検索結果に基づき、前記記憶手段より情報提供側に関する適当な位置情報、サービス情報の検索を実行する第２の位置検索手段とを有することを特徴とし、
前記第２の位置検索手段による第２の検索結果を前記第１の端末に送信することを特徴とする位置情報検索システム。
【請求項２】
前記第２の端末は、さらに情報提供側が持つ第２のサービスに関する所定の第２のサービス情報を前記位置情報提供手段に送信することを特徴とし、
前記位置情報提供手段は、前記記憶手段にさらに前記第２のサービス情報を記憶させ、情報授受側の要求に応じて、前記第２の検索結果を前記第１の端末に送信するとともに前記第２のサービス情報も送信することを特徴とする請求項１に記載の位置情報検索システム。
【請求項３】
新規の情報提供側が第３の端末を有しており、前記位置情報検索システムを利用するにあたり、ネットワークに接続して前記第３の端末は位置に関する所定の位置情報および新規の情報提供側が持つサービスに関する所定のサービス情報を前記位置情報提供手段に登録する際、
前記位置情報提供手段は、新規の情報提供側による登録の是認もしくは否認を行うための判定手段を有しており、前記判定手段が新規の情報提供側に対し是認の判定をしたときは登録の許可を表す登録許可情報を前記第３の端末に送信し、前記記憶手段に新規の情報提供側の前記位置情報、前記サービス情報を記憶させることを特徴とする請求項１または２に記載の位置情報検索システム。
【請求項４】
前記情報授受側もしくは前記情報提供側は、店もしくは個人であり、
前記サービス情報は、トイレの貸し出しが可能であることを表す情報であることを特徴とする請求項１から３の何れか１項に記載の位置情報検索システム。
【請求項５】
前記情報授受側もしくは前記情報提供側は、店もしくは個人であり、
前記サービス情報は、駐車場の貸し出しが可能であることを表す情報であることを特徴とする請求項１から３の何れか１項に記載の位置情報検索システム。
【請求項６】
前記サービス情報もしくは前記第２のサービス情報は、情報提供側に関する広告を表す広告情報であることを特徴とする請求項２から５の何れか１項に記載の位置情報検索システム。
【請求項７】
前記サービス情報もしくは前記第２のサービス情報は、前記位置情報提供手段が前記記憶手段に対し、前記サービス情報もしくは前記第２のサービス情報をどのくらいの期間記憶させておくかを表す記憶保持期間情報を含んでいることを特徴とする請求項１から６の何れか１項に記載の位置情報検索システム。
【請求項８】
前記位置情報提供手段は、前記記憶保持期間情報が示す期間を経過したときに、前記記憶手段より前記記憶保持期間情報もしくは必要に応じて、対応する前記サービス情報もしくは前記第２のサービス情報を削除することを特徴とする請求項７に記載の位置情報検索システム。
【発明の詳細な説明】
【０００１】
【発明の属する技術分野】
本発明は、位置情報検索システムに関するものであり、特にＧＰＳ／無線基地局を使った位置検索機能を有する位置情報検索システムに関する。
【０００２】
【従来の技術】
高速道路、特に首都高などは、一度高速に乗ると次のインターまでが長くトイレを見つけるのが大変困難である。また、高速の周りは住宅地が多く、トイレを借りるような建物を見つけることは困難である。都心においても同様のことが言え、大変分かりにくい。また、駅や公園など公共な場所以外でトイレを借りることができるかどうかを判断することは難しい。その状況に対する解決方法の１つとして、トイレを貸してくれる最寄りの場所をできるだけ素早く見つけだすための検索システムが考えられている。
【０００３】
トイレ貸し出しの場所だけに限らないが、現在のユーザの位置からユーザの要望に適った場所を見つけだすための位置情報に係る検索システムに関する従来技術が存在する。
【０００４】
例えば特許文献１に記載の技術は、いつでも、どこでも欲しい情報を入力できる位置利用情報案内システムを提供するために、情報を表示することが可能な情報案内端末がＧＰＳ送受信装置を内蔵している構成をとっており、ＧＰＳ送受信装置は、複数のＧＰＳ衛星と通信することにより情報案内端末内で自分自身の現在地情報（緯度経度情報）を算出する。さらに、情報案内端末はインターネットを経由し各種情報サーバにアクセスすることにより、先ほどＧＰＳ送受信装置を利用して算出した現在地情報を基に、様々な情報を検索し、それを情報案内端末内に取得し、端末上に表示することを可能にするものである。
【０００５】
また特許文献２に記載の技術は、ユーザの現在位置に関わる最適な地域情報をユーザに的確に知らせることができ、端末としての利用形態のさらなる拡充が可能な地域情報配信システムを提供するために、ＧＰＳ装置により現在位置の緯度・経度が検知され、その現在位置が位置情報としてユーザ番号と共にセンタに向け発信されるようにし、このユーザ番号が予め登録されたものであれば、同発信された位置情報から携帯電話器の現在位置が検出される。そして、検出された現在位置を中心とする半径１ｋｍ内の店舗情報がセンタ内のデータベースから検索して読み出され、それが携帯電話器に送信され、表示されるようにしている。
【０００６】
【特許文献１】
特開２００１−２６４０９０号公報
【特許文献２】
特開２００３−００６０８１号公報
【０００７】
【発明が解決しようとする課題】
以上の状況を鑑みて本発明では、予めトイレを貸しても良いという店の表示を地図上に表すことで、ユーザが素早く探すことができるようにし、また契約店が、自身のお得な情報もユーザに提供することを可能にする位置情報検索システムを提供することを目的とする。
【０００８】
さらに未契約店が自身に関する情報提供をユーザに行いやすいように、簡易に登録することを可能にする位置情報検索システムを提供することを目的とする。
【０００９】
【課題を解決するための手段】
かかる目的を解決するため、請求項１に記載の発明は、情報授受側が有しており、位置に関する所定の位置情報を受信する第１の端末と、情報提供側が有しており、位置に関する所定の位置情報および情報提供側が持つサービスに関する所定のサービス情報を送信する第２の端末と、前記第２の端末より所定の位置情報、サービス情報を受信し、記憶し、該位置情報、該サービス情報を前記第１の端末へ送信する位置情報提供手段と、前記位置情報提供手段と連動しており、前記位置情報提供手段の要求に応じて情報授受側の位置情報を検索する位置情報検索手段とは、互いにネットワークを介して接続されていることを特徴とする位置情報検索システムであって、前記第１の端末は、位置情報、サービス情報取得の際に要求する要求情報の送信、および前記位置情報、前記サービス情報の受信を、前記位置情報提供手段と行うための送受信手段と、前記位置情報、前記サービス情報を表示する表示手段とを有することを特徴とし、前記第２の端末は、情報提供側に関する位置情報、サービス情報を送信、および前記位置情報、前記サービス情報の登録に関する情報の受信を、前記位置情報提供手段と行うための送受信手段を有することを特徴とし、前記位置情報検索手段は、情報授受側の位置情報の第１の検索結果の送信、および前記位置情報の検索要求に対応する検索要求情報の受信を、前記位置情報提供手段と行うための送受信手段と、前記検索要求情報の受信に応じ情報授受側の位置情報の検索を実行する第１の位置検索手段とを有することを特徴とし、前記位置情報提供手段は、前記第１の端末との前記要求情報の受信、前記位置情報、前記サービス情報の送信、および前記第２の端末との情報提供側に関する位置情報、サービス情報を受信、前記位置情報、前記サービス情報の登録に関する情報の送信、および前記位置情報検索手段との情報授受側の位置情報の前記第１の検索結果の受信、前記位置情報の検索要求に対応する前記検索要求情報の送信を行う送受信手段と、前記第２の端末より受信する情報提供側に関する位置情報、サービス情報を記憶する記憶手段と、前記位置情報検索手段による前記第１の検索結果に基づき、前記記憶手段より情報提供側に関する適当な位置情報、サービス情報の検索を実行する第２の位置検索手段とを有することを特徴とし、前記第２の位置検索手段による第２の検索結果を前記第１の端末に送信することを特徴とする。
【００１０】
請求項２に記載の発明は、請求項１に記載の発明において、前記第２の端末は、さらに情報提供側が持つ第２のサービスに関する所定の第２のサービス情報を前記位置情報提供手段に送信することを特徴とし、前記位置情報提供手段は、前記記憶手段にさらに前記第２のサービス情報を記憶させ、情報授受側の要求に応じて、前記第２の検索結果を前記第１の端末に送信するとともに前記第２のサービス情報も送信することを特徴とする。
【００１１】
請求項３に記載の発明は、請求項１または２に記載の発明において、新規の情報提供側が第３の端末を有しており、前記位置情報検索システムを利用するにあたり、ネットワークに接続して前記第３の端末は位置に関する所定の位置情報および新規の情報提供側が持つサービスに関する所定のサービス情報を前記位置情報提供手段に登録する際、前記位置情報提供手段は、新規の情報提供側による登録の是認もしくは否認を行うための判定手段を有しており、前記判定手段が新規の情報提供側に対し是認の判定をしたときは登録の許可を表す登録許可情報を前記第３の端末に送信し、前記記憶手段に新規の情報提供側の前記位置情報、前記サービス情報を記憶させることを特徴とする。
【００１２】
請求項４に記載の発明は、請求項１から３の何れか１項に記載の発明において、前記情報授受側もしくは前記情報提供側は、店もしくは個人であり、前記サービス情報は、トイレの貸し出しが可能であることを表す情報であることを特徴とする。
【００１３】
請求項５に記載の発明は、請求項１から３の何れか１項に記載の発明において、前記情報授受側もしくは前記情報提供側は、店もしくは個人であり、前記サービス情報は、駐車場の貸し出しが可能であることを表す情報であることを特徴とする。
【００１４】
請求項６に記載の発明は、請求項２から５の何れか１項に記載の発明において、前記サービス情報もしくは前記第２のサービス情報は、情報提供側に関する広告を表す広告情報であることを特徴とする。
【００１５】
請求項７に記載の発明は、請求項１から６の何れか１項に記載の発明において、前記サービス情報もしくは前記第２のサービス情報は、前記位置情報提供手段が前記記憶手段に対し、前記サービス情報もしくは前記第２のサービス情報をどのくらいの期間記憶させておくかを表す記憶保持期間情報を含んでいることを特徴とする。
【００１６】
請求項８に記載の発明は、請求項７に記載の発明において、前記位置情報提供手段は、前記記憶保持期間情報が示す期間を経過したときに、前記記憶手段より前記記憶保持期間情報もしくは必要に応じて、対応する前記サービス情報もしくは前記第２のサービス情報を削除することを特徴とする。
【００１７】
【発明の実施の形態】
以下、本発明の実施の形態を図面を参照して説明する。本実施形態では位置情報検索システム（ＧＰＳ／無線基地局を使った位置検索機能）を使用し、ネットワークを通じて、トイレを使用したいと希望する者を対象に、公共のトイレ以外にもトイレを貸してくれる店を地図上に表示し、紹介するというビジネスモデルおよび、予め登録されていないトイレ貸し出し店の新規登録を行うシステムの提供をするビジネスモデルを想定している。なお、本発明の位置情報検索システムの適用範囲は、トイレの貸し出しの場合に限らない。
【００１８】
＜実施の形態の構成＞
図１を参照にすると、本実施形態における位置情報検索システムは、ユーザ１が位置情報の検索を要求するためのユーザ端末と、トイレの貸し出し情報を提供する店（以後、契約店５とする）側の端末、また契約店５以外の新規情報提供店（以後、未契約店４とする）の端末と、トイレ位置情報システム２、位置情報検索システム３をおのおの結ぶネットワークにより構成されている。
【００１９】
ユーザ１が有するユーザ端末は、携帯電話、ＰＤＡ、カーナビなどの携帯端末であり、Ｗｅｂブラウザを利用できる端末とする。ユーザ１は最寄りのトイレを検索する場合に、ユーザ端末１を使用して、トイレ位置情報システム２にアクセスし、対応するトイレ位置情報をＷｅｂブラウザ上に表示していく。
【００２０】
トイレ位置情報システム２は、インターネットをネットワークとしたＷＷＷ機能を持つサーバであり、一般的な地図表示ができ、位置情報検索システム３と連動することが可能であり、また既にトイレ位置情報システム２に登録している契約店５の広告や、情報の公開機能を持つ。これらの機能は、トイレ位置情報システム２を管理・運営している会社が取り扱う。このトイレ位置情報システム２を運営している会社は、未契約店４がトイレ貸し出しの登録できるようにトイレ位置情報システム２を利用するにあたり、専用の登録サイトを有している。
またトイレ位置情報システム２は、位置情報検索システム３より受信するユーザ１の位置情報をもとにさらに至近距離のトイレの位置（契約店５がトイレ位置情報２に提供しているトイレ貸し出し情報に基づく）を検索し、対応する検索結果を自身の地図に記載し、前記検索結果をユーザ１のユーザ端末に送信する。
【００２１】
位置情報検索システム３は、ＧＰＳ／無線基地局を使った位置検索機能を利用し、ユーザ１の位置を検索し、対応するユーザ１の位置情報を算出する。そして算出したユーザ１の位置情報をトイレ位置情報システム２に送信する。
【００２２】
未契約店４側の端末は、トイレ位置情報システム２を運営している会社が有する登録サイトから登録を行い、トイレ位置情報システム２側が指定する条件をクリアしている場合に採用される。採用後、未契約店４は契約店５と同様の扱いになる。
【００２３】
契約店５側の端末は、Ｗｅｂブラウザを利用できる端末である。契約店５側は、トイレ位置情報システム２にトイレ貸し出し表示用のトイレ貸し出し情報の登録をする。この時、会社の情報または広告を表示する場合は更に必要事項の情報を登録する。また、自社のＨＰとのリンクをする場合は、その登録もトイレ位置情報システム２に施す。
【００２４】
＜実施の形態の動作＞
次に図２と図３にてそれぞれ、ユーザ１側の動作と、トイレの貸し出しをしていない会社（以後、未契約店４）の登録の動作について説明する。
【００２５】
まず、図２を参照してユーザ１側の動作について説明する。自分の位置に対し最寄りのトイレの位置を知りたいユーザ１はユーザ端末を使用してトイレ位置情報システム２にアクセスすることにより、所望のトイレ位置情報を要求する（ステップＡ１）。
【００２６】
トイレ位置情報システム２は、ユーザ端末からのトイレ位置情報を要求に応じて、ユーザ１の位置を表す位置情報を位置情報検索システム３に要求する（ステップＡ２）。
【００２７】
位置情報検索システム３は、トイレ位置情報システム２からの前記位置情報の要求に応じて、自身の位置検索機能を利用してユーザ１の位置を検索し、対応するユーザ１の位置情報を算出する。その後算出したユーザ１の位置情報をトイレ位置情報システム２の地図上に通知する（ステップＡ３）。
【００２８】
トイレ位置情報システム２は、位置情報検索システム３より受信したユーザ１の位置情報から、ユーザ１の所在地の至近距離でトイレを使用できる場所を検索し、対応する検索結果を自身の地図に記載し、前記検索結果をユーザ１のユーザ端末に送信し、ユーザ端末のＷｅｂブラウザの地図上に契約店５の場所を表示させる（ステップＡ４）。
【００２９】
この時契約店５が、トイレ貸し出し情報とともに店の広告情報をもトイレ位置情報システム２に載せている場合は、ユーザ１は更に契約店５の詳しい情報を得ることができる。その情報が欲しい場合にユーザ１はユーザ端末を用いてトイレ位置情報システム２にアクセスをする（ステップＡ５）。
【００３０】
トイレ位置情報システム２は、ユーザ１のユーザ端末によるアクセスを受けた後、対象となる契約店５のさらなる詳しい情報を取り出し、ユーザ１のユーザ端末に該情報を送信し、Ｗｅｂブラウザに表示させる（ステップＡ６）。
【００３１】
結果的に、ユーザはトイレを探すのが困難な場所にいたとしても、簡単にトイレを探すことができるようになる。また契約店は、トイレ貸し出し情報もしくは所定の詳細情報をユーザに提供するに当たり、業種および規模が問われることがなくなる。
【００３２】
次に図３を参照して、未契約店４がトイレ位置情報システム２にトイレ貸し出しの登録における登録動作について説明をする。
【００３３】
未契約店４がトイレ貸し出しに参加する場合、トイレ位置情報システム２が管理・運営する登録サイトにアクセスをし、そこで仮登録をする（ステップＢ１）。
【００３４】
トイレ位置情報システム２は、未契約店１の仮登録に対し、所定の判断基準を用いることにより、その店の情報を登録するか判断する（ステップＢ２）。
【００３５】
トイレ位置情報システム２内で設定している判断基準をクリアしたら、トイレ位置情報システム２は未契約店４の情報の本登録通知を未契約店４側に通知し、契約店として扱う（ステップＢ３）。
【００３６】
契約店になったら、トイレ位置情報システム２は自身の地図上に対応する店のトイレ貸し出しの情報を記載し、公開する（ステップＢ４）。
【００３７】
もしその契約店が、店の情報（広告、クーポン券等）を公開したい場合、その情報をも公開するようにトイレ位置情報システム２に要求する（ステップＢ５）。
【００３８】
トイレ位置情報システム２は、自身の契約店情報に、要求された店の情報を加えて、表示できるようにする（ステップＢ６）。
【００３９】
上記の手順によりトイレ位置情報システムは、独自に営業をして契約店を増やす必要はなく、登録者（未契約店）が登録をすることにより契約者が増える構成とすることができる。
【００４０】
本実施形態で説明したシステム構成をとれば、トイレの貸し出し情報の提供だけでなく、例えば空き駐車場の情報提供、およびその他の位置情報に付随する店の情報提供にも応用することができる。
【００４１】
またトイレ位置情報システムを運営する会社は、提供したい情報（トイレ、空き駐車場貸し出し等）があれば、情報提供側が契約店であることや個人であることを問わない。従って一例として、個人同士で自身に関する追加の情報をトイレ位置情報システムに登録し、互いにその内容をリアルタイムに確認するといったことも可能である。
【００４２】
また提供する情報の内容として、トイレ、空き駐車場貸し出し等の貸し出し期間を表すものがあり、対応する貸し出し期間情報をトイレ位置情報システムに登録することが可能である。貸し出しを行う契約店もしくは個人は貸し出し期間を設け、契約してからいつの時期でも上述した手順と同様にして、トイレ位置情報システムに登録することになる。
このとき、貸し出し期間を過ぎたら貸し出し期間情報もしくは必要に応じて、対象となる貸し出し情報を自動的にトイレ位置情報システムの登録から削除する形を取ることで、トイレ位置情報システムの資源確保が図れる。
【００４３】
貸し出し期間を設定すると例えば、サッカーの試合等で１日だけ、駐車場を空けておき、その駐車場の貸し出しを行う旨を伝えるために、空き駐車場の位置情報、１日間を表す貸し出し期間情報、その他所定の情報等を登録し、試合が終了すればその駐車場の貸し出し情報が自動的に削除されるといった情報提供が可能となる。
【００４４】
【発明の効果】
以上の説明により本発明によれば、予めトイレを貸しても良いという店の表示を地図上に表すことで、ユーザが素早く探すことができるようになり、利便性が高い。また契約店は、自身のお得な情報もユーザに提供することが可能になる。
【００４５】
さらに未契約店が自身に関する情報提供をユーザに行いやすいように、簡易に登録することを可能にする。
【図面の簡単な説明】
【図１】位置情報検索システムの概要構成である。
【図２】実施の形態におけるユーザ１側の動作説明図である。
【図３】実施の形態における未契約店４側の動作説明図である。
【符号の説明】
１  ユーザ
２  トイレ位置情報システム
３  位置情報検索システム
４  未契約店
５  契約店
【図１】
2004326414.tif 000003
【図２】
2004326414.tif 000004
【図３】
2004326414.tif 000005